(57)【要約】【課題】    狭く奥行きのある作業性の良くない場所で、大きく重い荷物の取扱いが困難な場所であっても、老人や子供、女性でも、奥の方まで楽に収納作業ができる保管用ラックを提供する。【解決手段】    ダンボールなどの収納物３を、奥側と手前側に収納する複数段の収納棚２からなる保管用ラックであって、この収納棚２の棚床４のうち、前半分の前部床４ａは平板状の固定床に形成し、奥半分の奥部床４ｂは奥に向けて並列するガイドを設けた移動床に形成する。【選択図】  図１
0003120616.tif 000002
【実用新案登録請求の範囲】
【請求項１】
ダンボールなどの収納物を、奥側と手前側に収納する複数段の収納棚からなる保管用ラックであって、この収納棚の床面のうち、前半分の床面は固定床に形成し、奥半分の床面は移動床に形成したことを特徴とする保管用ラック。    
【請求項２】
上記移動床に、並列方向に移動ガイドを設けたことを特徴とする請求項１記載の保管用ラック。    
【請求項３】
上記収納棚の天井部に、収納物の移動を抑制する調整機構を設けたことを特徴とする請求項１又は２記載の保管用ラック。
【考案の詳細な説明】
【技術分野】
【０００１】
この考案は、狭く奥行きのある作業性の良くない場所であっても、奥の方まで楽に収納することができる保管用ラックに関するものである。    
【背景技術】
【０００２】
従来一般の奥行きのある保管用ラック内に、物を収納する時は、身体を乗出しラックの中に身を乗り込んで、収納物を所定の奥まで収める必要があった。
【０００３】
女性や子供、老人や力の弱い人は、重いダンボールなどを保管用ラックの奥の方まで収納するのが大変だった。      
【０００４】
実用新案登録第２５１１１０４号公報の「昇降荷台付きラック設備」に開示されている考案は、荷移載装置と昇降荷台をカウンターウエイトとを備えた昇降自在のラック設備である。      
【０００５】
また、実公平６−２９７５７号公報の「引出し付ラック」の考案は、機器４を収納するラック１に引出し９を設けたものである。      
【０００６】
さらに、特開平６−６２９２７号公報の「収納ラック」の発明は、引出し可能な手前の収納用部材７と奥に棚板１５と収納物８を収納できるようにしたものである。      
【０００７】
【特許文献１】実用新案登録第２５１１１０４号公報
【特許文献２】実公平６−２９７５７号公報
【特許文献３】特開平６−６２９２７号公報
【考案の開示】
【考案が解決しようとする課題】
【０００８】
従来一般の奥行きのある保管用ラック内に、重い物を収納する時は、身体を乗出してラックの中に身を乗り込んで荷物を所定の奥まで収める必要があり、無理な姿勢となって作業がやり難く、手や腰などを痛めることがあった。
【０００９】
女性や子供、老人や力の弱い人は、重いダンボールなどを収納するのが大変で、力のある人を頼まなければできなかった。      
【００１０】
実用新案登録第２５１１１０４号公報の「昇降荷台付きラック設備」に開示されている考案は、荷移載装置などを備えた昇降自在のラック設備であるが、大掛かりな収納設備であるため構造が複雑であった。      
【００１１】
また、実公平６−２９７５７号公報の「引出し付ラック」の考案は、重く大きな箱を奥の方まで収納するのには適さなかった。      
【００１２】
さらに、特開平６−６２９２７号公報の「収納ラック」の発明は、小物の収納物８の収納には効率良く利用できるが、ダンボールなど大きく重い物を奥と手前に収納するのには適さないものである      
【００１３】
この考案の目的は、上述のような従来技術が有する問題点に鑑みてなされたもので、狭く奥行きのある作業性の良くない場所であっても、老人や子供、女性でも、奥の方まで楽に収納できる保管用ラックを提供するものである。    
【課題を解決するための手段】
【００１４】
請求項１に係る考案の保管用ラックは、ダンボールなどの収納物を、奥側と手前側に収納する複数段の収納棚からなる保管用ラックであって、この収納棚の棚床の床面うち、前半分の床面は固定床に形成し、奥半分の床面は移動床に形成したものである。      
【００１５】
請求項２に係る考案の保管用ラックは、上記請求項１記載の移動床に、並列方向に移動ガイドを設けたものである。      
【００１６】
請求項３に係る考案の保管用ラックは、上記請求項１又は２の収納棚の天井部に、収納物の移動を抑制する調整機構を設けたものである。    
【考案の効果】
【００１７】
請求項１に係る考案の保管用ラックは、ダンボールなど収納物を奥と手前に収納する複数段の収納棚からなる保管用ラックであって、この収納棚の棚床の床面うち、前半分の床面は固定床に形成し、奥半分の床面は移動床に形成したので、前部の収納物は安定し、後方の収納物は簡単に引き出すことができ、狭く奥行きのある収納棚であっても、老人や子供、女性でも、奥の方まで楽に収納することができる。      
【００１８】
請求項２に係る考案の保管用ラックは、上記請求項１記載の移動床に、並列方向に移動ガイドを設けたので、小さい力で楽に押込み、かつ引出すことができる。      
【００１９】
請求項３に係る考案の保管用ラックは、上記請求項１又は２の収納棚の天井部に、収納物の移動を抑制する調整機構を設けたので、地震や振動などで収納物が移動し飛び出してくることがなく、奥の収納物を取り出す際には調整機構を使って楽に手前に引き出すことができる。    
【考案を実施するための最良の形態】
【００２０】
この考案に係る保管用ラックの実施形態例を、図１乃至図６に基づいて説明する。  図１は、保管用ラックの全体を示す斜視説明図である。１はラック本体で、アングル材などの成形材を用いて枠体に形成し、上下方向に複数段の収納棚２を設ける。図１に示す収納棚２は、上下方向に３段、縦一列の場合を示す。この収納棚２の中に、ダンボールなどの大きな収納物３を、奥側と手前側に重ねて保管する場合を示す。図１及び図２に示すように、収納棚２の棚床４は手前側の前部床４ａと、奥側の奥部床４ｂとからなり、手前側の前部床４ａは平面板の固定床面に形成し、奥側の奥部床４ｂは移動床面に形成する。この奥部床４ｂには，並列方向に移動ガイド５を設けて収納物３が前後方向に移動し易いように形成する。      
【００２１】
図２に収納棚２を拡大して示すように、奥側に保管する収納物３は、前部床４ａの上を滑らせて押し込み、さらに奥部床４ｂの並列方向の移動ガイド５の上を円滑に移動して収納する。この移動ガイド５は、パイプ材やローラー材などを用いて形成する。このように、収納棚２の棚床４の形状は、手前側半分の前部床４ａは比較的身体に近いので荷物を楽に置くことができるように水平な固定床板状とする。また、残り半分の奥側半分の奥部床４ｂは手が届きにくいので、荷物が楽に動くように平行した移動ガイド５を備えた構造とする。      
【００２２】
図３は、収納棚２の奥部床４ｂに設ける移動ガイド５の取付け状況を示す。移動ガイド５は、棚床４ｂの両側面に平行する枠体６を複数並列方向に設ける。この枠体６は、図３のように奥に向ってなだらかに下がるように傾斜させて設け、収納物を楽に押し込めるように形成する。      
【００２３】
図４は、移動ガイド５の事例の詳細を示す。移動ガイド５は、両側面に平行する二枚の板材よりなる枠体６を設け、この枠体６の間に複数のローラー７を軸支させる構造とする。収納物は、このローラー７の上を円滑に移動する。      
【００２４】
図５及び図６は、収納棚２の奥側に保管した収納物３が手前側に移動しないように制限する調整機構９を天井部８の下面に設けた場合を示す。収納棚２の奥まで移動した収納物３は、前記した移動ガイド５の上にあるため、地震や振動で前方に移動する心配がある。そこで、奥の収納棚２が地震や振動で前方に飛び出さないように移動を制限するための工夫として、天井部８中央部下面に調整機構９を取付ける。      
【００２５】
図５は、調整機構９をヒンジ部材１０と止め具１１とで形成した場合を示す。このヒンジ部材１０と止め具１１からなる調整機構９には、図示省略するが、ダンパー状に起立、転倒をさせる機構を設けておく。      
【００２６】
図６は、調整機構９をガイド部材１２と支え具１３とで形成し、この支え具１３には、収納棚２の奥に入れた収納物３を取り出すために、操作具１４を接続しておく。この調整機構９は、収納物を奥側に収納した後には支え具１３を固定して移動を制限するとともに、奥側の収納物を取り出す際には操作具１４を使用してガイド部材１２に沿って支え具１３を移動させ、奥の収納物を容易に手前へ引き出すことができるように形成する。      
【００２７】
上述のように、ダンボールなどの収納物を保管用ラックの奥へ収納する場合に、老人や子供、女性などの力が弱い人でも容易に収納することができる。また収納時や引出し時に無理な姿勢で強い力を必要とすることなく、腰を痛める心配もない。よって、倉庫などの保管場所において、安全作業で作業性良く収納作業を行うことができる。
【産業上の利用可能性】
【００２８】
この考案に係る保管用ラックは、周囲が狭く高い場所や奥行きがある場所など、作業性が良くない場所に収納物を保管する場合に、無理な姿勢をすることなく簡単かつ安全に収納作業を行うことができるため、種々の保管用ラックに適用することができる。  また、この保管用ラックを横方向に複数個並べて、大きな倉庫などに使用することができる。
【図面の簡単な説明】
【００２９】
【図１】この考案に係る保管用ラックの実施形態例を示す全体斜視説明図である。
【図２】収納棚の要部を示す斜視説明図である。
【図３】移動ガイドの取付け状況を示す説明図である。
【図４】移動ガイドの要部を示す説明図である。
【図５】調整機構の第一の事例を示す斜視説明図である。
【図６】調整機構の第二の事例を示す斜視説明図である。
【符号の説明】
【００３０】
１  ラック本体  ２  収納棚  ３  収納物  ４  棚床  ４ａ  前部床  ４ｂ  奥部床  ５  移動ガイド  ６  枠体７  ローラー８  天井部  ９  調整機構１０  ヒンジ部材１１  止め具１２  ガイド部材１３  支え具１４  操作具 
【図１】
0003120616.tif 000003
【図２】
0003120616.tif 000004
【図３】
0003120616.tif 000005
【図４】
0003120616.tif 000006
【図５】
0003120616.tif 000007
【図６】
0003120616.tif 000008